(57)【要約】【課題】本発明は、韓国実用新案登録出願２００１−０００７８４８号に該当するパズルにおいて、パズルのピースとピースを合わせるとき、ピースの合わせが固定され、一定の形状が乱れて変形することを防ぐことを課題とする。【解決手段】ピース内側面に固定突起を設け、上下のチェーン間にゴム特性を有する固定平板を設けた。【選択図】  図１【特許請求の範囲】
【請求項１】
上下のピース１００の内側面に固定突起５００を有することを特徴とするパズル。
【請求項２】
上下のチェーン３００間に固定平板４００が位置され、固定突起５００に固定された上下のチェーン３００の微細な揺れを防ぐことを特徴とする請求項１に記載のパズル。
【請求項３】
三角形のピース１００は、３つの固定突起５００が、上下のピース１００の内側面部分の各角に位置されることを特徴とする請求項１に記載のパズル。
【請求項４】
四角形のピース１００は、上下のピース１００の内側面部分の各角に８つの固定突起５００を有し、これは、各角と角の中間毎に固定突起５００が位置され、中間に位置した固定突起５００は、チェーン３００の中心を妨害しない溝を有することを特徴とする請求項１に記載のパズル。
【請求項５】
六角形のピース１００は、上下ピース１００の内側面部分の各角に６つの固定突起５００を有し、これは、角の中間毎に固定突起５００が位置され、中間に位置した固定突起５００は、チェーン３００の中心を妨害しない溝を有することを特徴とする請求項１に記載のパズル。
【発明の詳細な説明】
【技術分野】
【０００１】
本発明は、韓国実用新案登録出願２００１−０００７８４８号に該当するパズルに付加される技術に関する。
【背景技術】
【０００２】
現在まで、韓国実用新案登録出願２００１−０００７８４８号に該当するパズルの発明は、各ピースがチェーンにより噛み合わされ、隣接側が噛み合わされ、または角方向に移動することにより、ピースの上端部分に印刷された絵や色相を合わせて、目的とする遊びを楽しませているが、このような韓国実用新案登録出願２００１−０００７８４８号に該当するパズルは、各ピースがチェーンに固定されず、各ピースの合わせが乱れやすかった。
【特許文献１】韓国実用新案登録出願２００１−０００７８４８号
【発明の開示】
【発明が解決しようとする課題】
【０００３】
本発明は、このような問題点に鑑みなされたものであって、その目的は、パズルのピースとピースを合わせるとき、ピースの合わせが固定され、一定の形状が乱れて変形することを防ぐことにある。
【０００４】
本発明の他の目的は、使用者が固定させることができるピース合わせの形状を作り直してみる遊びを楽しませることにある。
【課題を解決するための手段】
【０００５】
上記目的を達成するために、本発明は、韓国実用新案登録出願２００１−０００７８４８号に該当するパズルに付加する発明であって、ピース中央の回転軸にチェーンを係合させる既存の構造において、ピース内側面に固定突起を設け、上下のチェーン間にゴム特性を有する固定平板を設けた。
【発明の効果】
【０００６】
本発明のパズルは、使用者が所望のパズルを組み合わせることができるようにしたので、各ピースの組み合わせが安定的に固定される。
【０００７】
また、固定突起がチェーンの空き空間や外部を取り囲んでチェーンを固定させるとともに、固定平板の圧力を用いて、薄い上下のチェーンの揺れを防ぐことにより、三角形、四角形、六角形の上下のピースに適用される。
【発明を実施するための最良の形態】
【０００８】
以下、本発明の好適な実施例、長所及び特徴を、添付図面を参照して詳述する。
【０００９】
図１は、本発明に係る三角形ピースで構成されたパズルの一部を分解して示す分解斜視図である。
【００１０】
図１を参照すると、本発明の特徴的な技術は、各ピース１００の相関関係と、各ピース１００を固定するときの、チェーン３００と固定突起５００と固定平板４００との相互間の役割のある。２００は回転軸である。
【００１１】
このパズルの上下のピース１００は、内側面に凸状の固定突起５００が形成されており、固定突起５００と回転軸２００にチェーン３００が係止した状態をみると、チェーン３００が、動くことのできる範囲と、チェーン３００が固定された形状と位置を知ることができる。
【００１２】
チェーン３００は、回転軸２００に係止したまま、離脱できない構成であるが、固定突起５００は、チェーン２００の溝に挿脱可能な高さに形成されている。このような構成は、三角形ピースのみならず、四角形及び六角形のピースにも同様に適用される。
【００１３】
また、固定平板４００は、上下ピース１００の間に位置し、チェーン３００が固定されるような摩擦力と圧着力を与え、チェーン３００がより揺れないようにする。固定平板４００は、ゴム板等の材質で構成されたものであり、一定のクッション性を有している。
【００１４】
固定平板４００がクッション性を有するゴム板等の材質で構成されているので、使用者が力を加えた場合には、固定突起５００に係止しているチェーン３００を、固定突起５００から離脱させることができる。
【００１５】
図２は、三角形ピースの内側面の固定突起を用いて組み合わされ構成を示す平面図である。
【００１６】
図２を参照すると、チェーン３００が回転軸２００を中心として固定突起５００に係止した状態で、固定突起５００の左右に形成された固定突起よりも大きさが小さく、高さが低い補助突起５１０により、固定突起５００に係止したチェーン３００がさらに堅固に固定され得る。
【００１７】
図３は、四角形ピースの内側面上の固定突起を用いて結合される構成を示す平面図である。
【００１８】
図３を参照すると、四角形ピース１００のチェーン３００は、図２のチェーン３００とは異なる形状を有している。
【００１９】
左側の一番目の四角形ピースに一番目のチェーン３００が係止している構造をみると、チェーン３００の主溝８００が固定突起５００に係止し、チェーンの首部７００の両側面部分が補助突起５１０に係止している構成である。
【００２０】
左側から二番目と三番目の四角形ピースに、二番目のチェーン３００（一番目のチェーンの上部に位置したチェーンをいう）が係止している構造は、チェーン３００の両側端部の２つの補助溝６００に、２つの補助突起５１０がそれぞれ係止しており、補助突起５１０の両側の固定突起５００にも、チェーン３００の各両側端部の頂点付近が支持されている。
【００２１】
更に、チェーン３００の首部７００が、２つの補助突起５１０間に挟まれている。
【００２２】
図４は、六角形ピースの内側面に固定突起を用いて結合される構成を示す平面図である。
【００２３】
図４を参照すると、それぞれの六角形ピース１００の内側の上面には、回転軸２００を中心として６つの固定突起５００が若干突出して形成されている。それぞれの六角形ピース用チェーン３００には、３つの係止溝９００が形成されており、中間の係止溝を除いた左右の係止溝９００のそれぞれに回転軸２００が係止している構成となっている。
【００２４】
六角形ピース１００が固定された場合の構成をみると、最左の係止溝と最右の係止溝は、回転軸２００に係止した状態で、固定突起５００も一緒に係止しており、中間の係止溝には、互いに異なる六角形ピースの固定突起５００のみが係止している。
【００２５】
図５は、図１の上下のピース、チェーン、回転軸、固定平板、固定突起が結合された様子を、側面からみた拡大断面図である。
【００２６】
図５を参照すると、固定突起５００と固定平板４００の位置と作用が理解される。固定平板４００は、ゴム等の一定のクッション性を持つ材質で作られ、ピースが動きとき、一定の摩擦を与え、またチェーン３００と結合されたピースが一定の形状をなすとき、その形状が乱れないように、固定突起５００に摩擦とクッション力を与える。
【００２７】
本発明によるピース１００は、三角形、四角形、六角形等の形状を有し、回転軸２００を中心として係止し、チェーン３００による移動経路の動き以外に、固定突起５００による固定作用と、固定平板４００の内部圧力作用により、各ピース１００が一定の形状をなした形態が固定されるようにする。
【産業上の利用可能性】
【００２８】
本発明は、連結されたピースを合わせるパズルゲームを行うにあたって、ピースの組み合わせを固定することができ、使用者が所望のピースを組み合わせた形状をそのまま維持し、安定した遊びを行わせるものである。
【００２９】
固定されていないパズルのピース合わせは、使用者がパズルピースを合わせるとき、不安感と不便感を与えるものの、パズルピースを固定させる本発明により、所望のパズル行為において、使用者の集中力を向上させることができる。
【００３０】
本発明の好適な実施例が、特定の用語を用いて記述されたが、このような記述は、単に説明のためのものであり、以下の請求の範囲の技術的思想及び範囲から離脱しない範囲内で、様々な変更及び変化が可能であるものと解されるべきである。
【図面の簡単な説明】
【００３１】
【図１】本発明に係る三角形ピースで構成されたパズルを分解して示す分解斜視図である。
【図２】本発明に係る三角形ピースの内側面に固定突起を用いて結合される構成を示す平面図である。
【図３】本発明に係る四角形ピースの内側面に固定突起を用いて結合される構成を示す平面図である。
【図４】本発明に係る六角形ピースの内側面に固定突起を用いて結合される構成を示す平面図である。
【図５】図１の上下のピースのパズルにおいて、チェーン、回転軸、固定平板、固定突起が結合された様子を、側面からみた拡大断面図である。
【符号の説明】
【００３２】
１００  ピース
２００  回転軸
３００  チェーン
４００  固定平板
５００  固定突起
【図１】
2008529582.tif 000002
【図２】
2008529582.tif 000003
【図３】
2008529582.tif 000004
【図４】
2008529582.tif 000005
【図５】
2008529582.tif 000006
【国際調査報告】
2008529582.tif 000007
2008529582.tif 000008